(57)【要約】【課題】  油分、臭気等を含んだ煙が排気されるのを防ぎ、自在に設置できる排気口カバーを提供する。【解決手段】  金属薄板製のカバー半体１と、カバー半体２、とを備える。カバー半体１の窓部３と、カバー半体２の窓部４、を閉じる様に張設されたフィルター５、を備える。長手方向に伸縮自在である。カバー半体１の回転窓６と、カバー半体２の回転窓７、とを備える。【選択図】図１
2015021722.tif 000002
【特許請求の範囲】
【請求項１】
フィルター５を備えたことを特徴とする排気口カバー。
【請求項２】
金属薄板製のカバー半体１に窓部３と、カバー半体２に窓部４、とを敷設されことを特徴とする。
【請求項３】
カバー半体１と、カバー半体２の、それぞれの長手方向の片端に、磁石付ヨークＭが自在に回転出来るために、回転窓６と、７とを敷設されたことを特徴とする請求項２記載の排気口カバー。
【請求項４】
窓部３と、窓部４とを、閉じる様に張設されたフィルター５、を備えたことを特徴とする請求項３記載の排気口カバー。
【請求項５】
フィルター５を備えたカバー半体１と、カバー半体２の、回転窓６と、回転窓７とに、磁石付ヨークＭを備えたことを特徴とする請求項１、又は４記載の排気口カバー。
【請求項６】
長手方向に全体が伸縮自在である請求項１、又は５記載の排気口カバー。
【請求項７】
伸縮ガイド機構Ｓを有し、伸縮ガイド機構Ｓが、内円管状部Ａと、該内円管状部Ａを包み込む外円管状部Ｂを有する請求項１又は、６記載の排気口カバー。
【請求項８】
排気口カバーを、磁石付ヨークＭによって、排気孔付フタＦの内側（下側）に、付設出来ることを特徴とする請求項１、又は７記載の排気口カバー。
【請求項９】
排気口カバーを、磁石付ヨークＭによって、排気口Ｈに直接付設出来る事を特徴とする請求項１、又は７記載の排気口カバー。
【発明の詳細な説明】
【技術分野】
【０００１】  本発明は、排気口カバーに関するものである。
【背景技術】
【０００２】  従来、コンロに付設される排気口カバーとしては、調理中の食材等が排気孔付フタを通して排気口に零れ落ちるのを防ぐために、金属薄板製の容器状のもので排気孔付フタの周りを被覆状にするだけの排気口カバーがあった。【０００３】  しかし、それらは、ロースターグリルを使用する際には、排気のため、都度該容器を取り外さなければならないという大きな欠点があった。【０００４】  調理をする上で、この欠点はロースターグリルから排気される油分・臭気等を含んだ煙が、排気孔付ふたの孔部分からそのまま排気されるため、排気口の周りは油分等でべたつき、しかもコンロ周りに臭気が充満していた。【０００５】  また、ロースターグリルとコンロを同時に使用する場合には、調理中であっても排気のため排気孔カバーを取り外さなければならなく、そのため調理中の食材等が排気孔付フタを通して排気口に零れ落ちる等々極めて煩わしい事であった。【０００６】  更には、排気口カバーを設置すると、該排気口カバーがコンロの上に突出するため、調理の邪魔でもあった。
【発明の概要】
【発明が解決しようとする課題】
【０００７】  解決しようとする問題点は、排気口から排気孔付フタを通して排気される油分、臭気等を含んだ煙が排気される点である。【０００８】  コンロ使用時にロースターグリルを使用する時には、排気口カバーを取り外さなければならない点である。【０００９】  また、コンロ使用時にロースターグリルを使用する際、排気口カバーを取り外さなければならなく、そのため、調理中の食材等が排気口に零れ落ちる点である。【００１０】  さらに、排気口カバーを設置してもコンロ上に突出するため、調理の際非常に邪魔になる点である。
【課題を解決するための手段】  本発明に係る排気口カバーは、フィルターを備えた物であり、金属薄板製のカバー半体１の窓部３と、カバー半体２の窓部４、とを閉じる様に、フィルター５によって張設されたものである。また、長手方向に全体が伸縮自在であり、しかも付設されている回転自在な磁石付ヨークＭによって、自在に設置できることを主要な特徴とする。
【発明の効果】  本発明の排気口カバーは、次に記載する効果を奏する。【００１１】  （請求項１によれば）排気される油分・臭気等を含んだ煙が外部へ漏れるのを防ぐことが出来る。また、排気口孔付フタＦに敷設されている排気孔から、ゴミや異物が排気口へ落ちるのを防ぐことが出来る。【００１２】  （請求項５によれば）排気口孔付フタＦの内側に簡単に設置することができる。また、排気口に直接設置することが出来る等、排気口カバーを自在に設置出来る。【００１３】  （請求項６によれば）排気口Ｈの長さＬ２に応じて設置することが出来る。すなわち、排気口カバーＫの長さ寸法Ｌ１を調整することにより、様々な長さ寸法Ｌ２の排気口Ｈ、または、Ｌ３の排気口孔付フタＦに設置可能である。【００１４】  （請求項７によれば）内円管状部Ａと、外円管状部Ｂ、とがスライドするので軽くスムーズに全体を伸縮することが出来る、容易に取り扱うことが出来る。また、外側半体１ａと、内側半体２ａとが、容易に外れない。
【図面の簡単な説明】
【００１５】
【図１】  本発明の第１の実施の形態を示す説明用斜視図である。
【図２】  本発明の第２の実施の形態を示す説明用斜視図である。
【図３】  カバー半体を示す説明用平面図である。
【図４】  カバー半体  にフィルターを張設された説明用平面図である。
【図５】  カバー本体の短縮状態を示す平面図である。
【図６】  カバー本体の伸長図を示す平面図である。
【図７】  要部拡大図である。
【図８】  断面側面図である。
【発明を実施するための形態】
【００１６】  図１・図２は、本発明の実施の形態の使用状態を示す。
図１は、この排気口カバーＫが、排気口カバーＫに設置されている磁石付ヨークＭによって、排気孔付フタＦの内側（下側）に設置された後、該排気孔付フタＦが、排気口Ｈに設置された状態を示し、図２は、この排気口カバーＫが、排気口カバーＫに設置されている磁石付ヨークＭを回転させて、コンロＧに敷設されている排気口Ｈに直に設置された後、排気孔付フタＦが排気口に設置された状態を示す。
【００１７】  図３は、排気口カバーＫの、金属薄板製のカバー半体１が窓部３と回転窓６を、カバー半体２が窓部４と回転窓７、を敷設された状態を示す。
【００１８】  図３・図４に示すように、排気口カバーＫは、カバー半体１の窓部３と、カバー半体２の窓部４、とを閉じる様に張設されたフィルター５を備える。フィルター５は、例えば耐熱性不織布、または金属繊維等から成り、該フィルター張設後、カバー半体１の回転窓６と、カバー半体２の回転窓７、とに磁石付ヨークＭが設置される。
【００１９】  図５・図６に示すように、排気口カバーＫは、長手方向に全体が伸縮自在である。  すなわち、排気口カバーＫは、カバー半体１と、該カバー半体１に対して長手方向に伸縮スライド自在なカバー半体２、とから成る。図５は、排気口カバーＫの短縮状態を示し、図６は、排気口カバーＫの伸長状態を示す。
【００２０】  このように、排気口カバーＫは伸縮自在なので、図１に示すように、排気孔付フタＦの長手方向の長さ寸法Ｌ３に応じて全体の長さ寸法Ｌ１を調節して、排気孔付フタＦの内側に設置することが出来る。
【００２１】  また、図２に示すように、コンロに敷設されている排気口Ｈの長さ寸法Ｌ２に応じて全体の長さ寸法Ｌ１を調節して排気口Ｈに直接設置することが出来る。
【００２２】  具体的には、図７に示すように、排気口カバーＫは、伸縮ガイド機構Ｓを有する。この伸縮ガイド機構Ｓは、図７に示すように、内円管状部Ａと、外円管状部Ｂ、とを有し、且つ、外円管状部Ｂが、内円管状部Ａを包囲状に包み込むように篏合されている為、排気口カバーＫの全体を伸縮させるとき、内円管状部Ａと、外円管状部Ｂ、とがスライドするので、軽くスムーズに伸縮を行うことができる。
【００２３】  図５・図６、および図８は、第３の実施の形態を示す。カバー半体１は、平面帯板状である。排気口カバーＫは、平面帯板状の外側半体１ａと、該外側半体１ａに長手方向に伸縮スライド自在な平帯板状の内側半体２ａと、から成る。この排気口カバーＫは、回転窓６と、回転窓７、とに設置されている磁石付ヨークＭによって、排気孔付フタＦの内側（図１参照）、または、排気口Ｈ（図２参照）、に設置される。
【００２４】  なお、本発明は、設計変更自在であって、フィルター５とカバー半体１、フィルター５とカバー半体２、とは耐熱用の接着剤にて固着されているが、溶着、または溶接、または挟み込むようにして固着されるのも良い。また、フィルター５の製造時に脱臭材を配合してフィルター５を製造しても良いが、フィルター５に脱臭剤をコーテイングするも良い。この場合外部へ排気される臭気が漏れるのをより防止することが出来る。また、排気口カバーＫに付設されいる磁石付ヨークＭによって、排気口Ｈに直に、または、排気孔付フタＦの内側に設置されるが、例えばバネ等の線材加工品を排気口カバーＫに敷設して、排気孔付フタＦ、または、排気口Ｈに直に設置するも良い。
【符号の説明】
【００２５】  １  カバー半体１
２  カバー半体２
３  窓部
４  窓部
５  フィルター
６  回転窓
７  回転窓
Ａ  内円管状部
Ｂ  外円管状部
Ｆ  排気孔付フタ
Ｇ  コンロ
Ｈ  排気口
Ｍ  磁石付ヨーク
Ｓ  伸縮ガイド機構
【図１】
2015021722.tif 000003
【図２】
2015021722.tif 000004
【図３】
2015021722.tif 000005
【図４】
2015021722.tif 000006
【図５】
2015021722.tif 000007
【図６】
2015021722.tif 000008
【図７】
2015021722.tif 000009
【図８】
2015021722.tif 000010